(57)【要約】【課題】振動吸収効果に優れたゴルフクラブヘッドを提供する。【解決手段】フェースプレート部１１と、該フェースプレート部の裏側のキャビティ部１４と、ソール部１３とを有するアイアン型のゴルフクラブヘッド１であって、該フェースプレート部１１の背面に粘弾性体２０が付着されると共に、該粘弾性体２０に重なるカバープレート３０が設けられているゴルフクラブヘッド１において、該カバープレート３０に開口３５が設けられ、粘弾性体２０の一部が該開口３５から突出している。【選択図】図１
2013022057.tif 000002
【特許請求の範囲】
【請求項１】
ゴルフクラブヘッドの外面の一部に粘弾性体が付着されると共に、該粘弾性体に重なるカバープレートが設けられているゴルフクラブヘッドにおいて、
該カバープレートの一部に開口が設けられ、前記粘弾性体の一部が該開口に露呈していることを特徴とするゴルフクラブヘッド。
【請求項２】
請求項１において、該ゴルフクラブヘッドはアイアン型ゴルフクラブヘッドであり、前記粘弾性体及びカバープレートは該ゴルフクラブヘッドのフェースプレート部の背面に配置されていることを特徴とするゴルフクラブヘッド。
【請求項３】
請求項１において、該ゴルフクラブヘッドはウッド型ゴルフクラブヘッドであり、前記粘弾性体及びカバープレートは該ゴルフクラブヘッドのソール部に設けられた凹陥部に配置されていることを特徴とするゴルフクラブヘッド。
【請求項４】
請求項１ないし３のいずれか１項において、前記カバープレートは、厚さ０．２〜０．４ｍｍの金属からなることを特徴とするゴルフクラブヘッド。
【請求項５】
請求項１ないし４のいずれか１項において、前記粘弾性体のうち前記開口に露呈する部分は該開口から突出していることを特徴とするゴルフクラブヘッド。
【請求項６】
請求項５において、前記粘弾性体のうち前記開口に露呈する部分の厚みが部分的に変化していることを特徴とするゴルフクラブヘッド。
【発明の詳細な説明】
【技術分野】
【０００１】
本発明はゴルフクラブヘッドに係り、特に外面の一部に粘弾性体が付着され、該粘弾性体を覆うようにカバープレートが設けられたゴルフクラブヘッドに関する。
【背景技術】
【０００２】
ゴルフクラブでボールをヒットしたときにゴルフクラブヘッドに生じる衝撃や振動を吸収するために、ゴルフクラブヘッドにゴム等の粘弾性材料を付着させることがある。
【０００３】
特表平６−５１０６８９（特許２６６１７９６）には、フェースプレート部の背面に長径４５ｍｍ、短径１８ｍｍ、厚さ１ｍｍの楕円形のブチルゴム等よりなる粘弾性体を接着すると共に、この粘弾性体の上に厚さ１ｍｍのアルミニウム亜鉛マグネシウム合金製銘板を接着することが記載されている。
【０００４】
特開２０１１−３０８３７には、ボールをヒットするためのフェースプレート部と、ソール部と、シャフトを連結するためのホゼル部とを有するアイアン型のゴルフクラブヘッドであって、該フェースプレート部の背面に粘弾性体が付着されると共に、該粘弾性体に重なる銘板が設けられているゴルフクラブヘッドにおいて、該銘板は、該粘弾性体の周囲に張り出す張出部を有しており、該張出部が前記フェースプレート部の背面に付着されていることを特徴とするゴルフクラブヘッドが提案されている。
【先行技術文献】
【特許文献】
【０００５】
【特許文献１】特表平６−５１０６８９
【特許文献２】特開２０１１−３０８３７
【発明の概要】
【発明が解決しようとする課題】
【０００６】
本発明は、振動吸収効果に優れたゴルフクラブヘッドを提供することを目的とする。
【課題を解決するための手段】
【０００７】
本発明のゴルフクラブヘッドは、ゴルフクラブヘッドの外面の一部に粘弾性体が付着されると共に、該粘弾性体に重なるカバープレートが設けられているゴルフクラブヘッドにおいて、該カバープレートの一部に開口が設けられ、前記粘弾性体の一部が該開口に露呈していることを特徴とするものである。
【０００８】
本発明の一態様では、該ゴルフクラブヘッドはアイアン型ゴルフクラブヘッドであり、前記粘弾性体及びカバープレートは該ゴルフクラブヘッドのフェースプレート部の背面に配置されている。
【０００９】
本発明の別の一態様では、該ゴルフクラブヘッドはウッド型ゴルフクラブヘッドであり、前記粘弾性体及びカバープレートは該ゴルフクラブヘッドのソール部に設けられた凹陥部に配置されている。
【００１０】
カバープレートは、厚さ０．２〜０．４ｍｍの金属からなることが好ましい。
【００１１】
前記粘弾性体のうち前記開口に露呈する部分は該開口から突出していてもよい。この場合、粘弾性体のうち前記開口に露呈する部分の厚みが部分的に変化していてもよい。
【発明の効果】
【００１２】
本発明のゴルフクラブヘッドにあっては、外面の一部に粘弾性体が付着され、さらにこの粘弾性体を覆うようにカバープレートが設けられている。このカバープレートの一部に開口が設けられ、粘弾性体の一部が該開口に露呈している。このゴルフクラブヘッドによってボールをヒットした際に生じた振動の一部は、粘弾性体によって吸収される。この粘弾性体の一部は、カバープレートの開口に露呈しており、カバープレートによって全く又は殆ど拘束されることなく自在に振動して振動吸収するので、振動吸収効果が高い。
【００１３】
この粘弾性体のうちカバープレートに露呈する部分の厚みを部分的に変化させることにより、広い振動数領域の振動が効率よく吸収されるようになる。
【図面の簡単な説明】
【００１４】
【図１】実施の形態に係るアイアン型ゴルフクラブヘッドの後面側のソール側からの斜視図である。
【図２】図１のゴルフクラブヘッドの分解斜視図である。
【図３】図１のIII−III線に沿う断面図である。
【図４】図３の分解図である。
【図５】図１のＶ−Ｖ線に沿う断面図である。
【図６】図１のVI−VI線に沿う断面図である。
【図７】銘板及び粘弾性体の図２のVII−VII線に沿う断面図である。
【図８】フェースプレート部背面の断面図である。
【図９】図３のIX−IX線に沿う断面図である。
【図１０】別の実施の形態に係るウッド型ゴルフクラブヘッドのソール側からの斜視図である。
【図１１】図１０のゴルフクラブヘッドの分解図である。
【図１２】図１０のゴルフクラブヘッドの底面図である。
【図１３】図１０のゴルフクラブヘッドの縦断面図である。
【図１４】粘弾性体及びカバープレートの斜視図である。
【図１５】図１４のXV−XV線断面図である。
【図１６】図１４のXVI−XVI線断面図である。
【発明を実施するための形態】
【００１５】
以下、第１図〜第８図を参照して第１の実施の形態に係るアイアン型ゴルフクラブヘッドについて説明する。
【００１６】
このアイアン型ゴルフクラブヘッド１は、シャフト２の先端に取り付けられるものであり、ゴルフクラブヘッド本体１０と、このゴルフクラブヘッド本体１０のフェースプレート部１１の背面に付着された粘弾性体２０と、該粘弾性体２０に被さり、該フェースプレート部１１の背面に付着されたカバープレート３０とを備えている。
【００１７】
ゴルフクラブヘッド本体１０は、フェースプレート部１１と、ホゼル部１２と、ソール部１３とを有している。フェースプレート部１１の後面側はキャビティ部１４となっている。キャビティ部１４は、トウ側からヒール側（プレーヤー側）にまで延在しており、ソール部１３と、トウ側凸部１５、トップ側凸部１６及びヒール側凸部１７とによって周囲が囲まれている。これらの凸部１５〜１７は、フェースプレート部１１の周縁から後方に起立している。フェースプレート部１１の背面は、凸部１５〜１７及びソール部１３の近傍を除いて平坦面となっている。
【００１８】
ソール部１３の上面部は、トウ側の山部１８とヒール側の山部１９と、山部１８，１９間の谷部１３ａとからなっている。
【００１９】
山部１８，１９の頂部のソール面からの高さは、谷部１３ａのソール面からの高さよりも５〜２０ｍｍ特に６〜１０ｍｍ高いものとなっている。
【００２０】
山部１８，１９のフェースプレート部１１側の面は、フェースプレート部１１に向って下り勾配の斜面１８ａ，１９ａとなっている。第９図の通り、フェースプレート部１１の背面の最下縁すなわちキャビティ部１４のボトム部１４ａはトウ側１４ｔ及びヒール側１４ｈからセンター部（トウ・ヒール方向の中間部）１４ｃに向って緩やかな下り勾配となっている。
【００２１】
即ち、ボトム部１４ａとソール面との距離は、センター部１４ｃにおいて最も小さく、該センター部１４ｃからヒール側１４ｈ及びトウ側１４ｔにかけて徐々に大きくなっている。
【００２２】
この実施の形態では、ソール部１３のトウ側及びヒール側の底面（ソール面）に凹穴４０，４１（第２図）が設けられており、各凹穴４０，４１の奥部にゴム又はエラストマーよりなる振動吸収材４２，４３が充填されている。凹穴４０，４１の入口部は、各凹穴４０，４１の奥部よりも開口面積が大きい拡大部となっており、この拡大部にタングステン、タングステン合金など比重が１０以上、より好ましくは、１２以上の高比重金属材よりなるウェイト材４４，４５が嵌着されている。このウェイト材４４，４５は、レーザー溶接、カシメなどによりゴルフクラブヘッド本体１０に固定されている。
【００２３】
振動吸収材４２，４３の材料としては、天然ゴムなどに臭化ブチルゴムやクロロブチルゴムを配合したゴム、ＮＢＲ（アクリロニトリルブタジエンゴム）、シリコンゴム、スチレン系エラストマー、オレフィン系エラストマー、ウレタン系エラストマー、エステル系エラストマー、アミド系エラストマーなどが例示されるが、中でもＮＢＲが好適である。
【００２４】
第２〜４図の通り、粘弾性体２０は、略々菱形の盤状部２１と、該盤状部２１からトウ側に延在するトウ側延在部２２と、盤状部２１からヒール側に延在するヒール側延在部２３とを有する。盤状部２１の中央には第１凸部２１ａが存在し、該第１凸部２１ａを取り巻くように第１凹部２１ｂが設けられ、該第１凹部２１ｂを取り巻くように第２凸部２１ｃが設けられ、該第２凸部２１ｃを取り巻くように第２凹部２１ｄが設けられ、該第２凹部２１ｄを取り巻くように第３凸部２１ｅが設けられ、該第３凸部２１ｅを取り巻くように最外周の薄板部２１ｆが設けられている。
【００２５】
トウ側延在部２２及びヒール側延在部２３は盤状部２１の上部に連なり、それぞれトウ側及びヒール側に延在している。トウ側延在部２２は、カバープレート３０のトウ側にまで達する長さを有している。ヒール側延在部２３はカバープレート３０のヒール側にまで達する長さを有している。
【００２６】
粘弾性体２０の材料は粘弾性を有するゴム又はエラストマーが好適である。このゴム又はエラストマーの好適な材料としては、上記振動吸収材４２，４３と同様の材料が例示され、中でもＮＢＲが好適である。
【００２７】
粘弾性体２０の盤状部２１の平均厚みは０．５〜２．５ｍｍ特に０．８〜１．５ｍｍ程度が好適である。盤状部２１の上下長さは１０〜３０ｍｍ特に１８〜２８ｍｍ程度が好適であり、最大左右幅は１５〜３５ｍｍ特に２０〜３０ｍｍ程度が好適である。
【００２８】
トウ側延在部２２及びヒール側延在部２３の幅（長手方向と直交方向の幅）は３〜８ｍｍ程度が好適であり、平均厚みは０．２〜２．０ｍｍ特に０．５〜１．５ｍｍが好適である。
【００２９】
カバープレート３０は、フェースプレート部１１の背面の全体に、すなわちトウ側からヒール側まで、またトップ側からソール側まで広がる大きさを有している。このカバープレート３０のトウ・ヒール方向の中間部には、粘弾性体２０が嵌合する形状及び大きさの凹所３１が設けられている。
【００３０】
この凹所３１の中央には、第４図の通り、第１凸部２１ａ、第１凹部２１ｂ及び第２凸部２１ｃが入り込んだ開口３５が設けられている。該開口３５を取り巻いて、第３凸部２１ｅが嵌合する凹条３６が設けられている。
【００３１】
凹所３１の上部からトウ側及びヒール側に向って延在するようにトウ側凹条３２とヒール側凹条３３とが設けられている。これらの凹条３２，３３に粘弾性体２０のトウ側延在部２２及びヒール側延在部２３が嵌合する。なお、凹条３２，３３はカバープレート３０の周縁部にまで達しているが、第７，８図の通り、カバープレート３０の周縁部には凹条３２，３３を閉鎖する壁部３４が設けられている。
【００３２】
トウ側凹条３２はカバープレート３０のトウ側の側縁部の上下方向の中間付近に位置し、ヒール側凹条３３はカバープレート３０のヒール側の側縁部の上下方向の中間付近に位置する。
【００３３】
カバープレート３０は、凹部３１及び凹条３２，３３を除いて平坦である。この平坦部分には、図示は省略するが、種々の文字、図形、記号を表わすように凹凸模様が設けられている。
【００３４】
凹所３１及び凹条３２，３３に粘弾性体２０が嵌合した状態において、粘弾性体２０及びカバープレート３０のフェースプレート部１１側の面は面一状となる。
【００３５】
このカバープレート３０としては、厚さが０．２〜０．４ｍｍ特に約０．３ｍｍ程度の金属材よりなるものが好ましい。
【００３６】
このカバープレート３０は、メッキ技術を応用した成型方法である電鋳法、又はプレス成形により製造したものであることが好ましい。
【００３７】
電鋳法によりカバープレート３０を製造する場合の金属としては、銅、ニッケル、クロム、亜鉛、金、銀、ロジウム、ニッケルリン合金などが好適であるが、特に、ニッケルが好適である。この電鋳法によりカバープレート３０を製造する場合においては、これらの金属よりなる基材の表面に対して、基材に用いた金属よりも硬い金属によるメッキ処理を行うことが好ましく、例えば、ニッケルよりなる基材の表面に対して、クロムによるメッキ処理を行うことが好ましい。このメッキ処理を行うことにより、カバープレート３０が傷付きにくいものとなる。また、基材に対して部分的にメッキ処理を施すことにより、基材の色合いを変えてもよい。
【００３８】
プレス成型によりカバープレート３０を製造する場合の金属としては、延性があるアルミニウム、アルミニウム合金、チタニウム、チタニウム合金や、錆びにくいステンレス鋼が好適である。アルミニウム、アルミニウム合金、チタニウム、チタニウム合金に対しては、陽極酸化処理を施すことが好ましい。
【００３９】
このカバープレート３０の凹所３１及び凹条３２，３３に対し粘弾性体２０の盤状部２１及び延在部２２，２３を嵌合させ、両面テープなどの粘着剤又は接着剤によってフェースプレート部１１の背面に貼着する。
【００４０】
このゴルフクラブヘッド１のホゼル部１２にシャフトを差し込み、接着剤によって固定することにより、ゴルフクラブ（アイアン）とされる。このアイアンでボールをヒットしたときに生じた振動が粘弾性体２０，４２，４３によって吸収される。このうち、粘弾性体２０はフェースプレート部１１の背面に位置するので、振動吸収量が多い。本発明では、この粘弾性体２０を覆うカバープレート３０に開口３５が設けられ、粘弾性体２０の一部（盤状部２１の凸部２１ａ，２１ｃ及び凹部２１ｂ）が開口３５に露呈している。そのため、この凸部２１ａ，２１ｃ、及び凹部２１ｂはカバープレート３０に拘束されることなく振動するので、振動吸収効果に優れる。また、凸部２１ａ，２１ｃ、及び凹部２１ｂの各部分において盤状部２１の厚みが異なるので、広い振動数領域の振動が効率よく吸収される。
【００４１】
即ち、この実施の形態で用いた粘弾性体２０の盤状部２１は、凸部２１ａ，２１ｃ，２１ｅの部分が肉厚部となっており、凹部２１ｂ，２１ｄ及び薄板部２１ｆの部分が肉薄部となっているので、広い振動数領域の振動を効果的に吸収することができる。
【００４２】
この実施の形態では、フェースプレート部１１の背面のボトム部がトウ側からヒール側にかけての全域で深くソール側に食い込んでおり、カバープレート３０の下縁がソール部１３の近傍にまで存在し、カバープレート３０の面積が大きい。従って、フェース面のトウ側やヒール側の下部でボールをヒットしたときの振動がカバープレート３０を介して粘弾性体２０に伝播し易く、振動吸収効果に優れる。
【００４３】
この実施の形態では、粘弾性体２０の延在部２２，２３の先端面はカバープレート３０の壁部３４によって覆われている。従って、粘弾性体２０のすべての端面はこのカバープレート３０によって密閉状に覆われており、大気に露呈していない。このため、粘弾性体２０とフェースプレート部１１の背面との付着面に対して水分が掛かったり、紫外線が直射することがなく、粘弾性体２０の耐久性及び粘弾性体２０のフェースプレート部１１の背面への付着耐久性が良好である。なお、延在部２２，２３の先端面の面積は小さいので、壁部３４が省略されても付着耐久性には殆ど影響がない。
【００４４】
この実施の形態では、粘弾性体２０の盤状部２１の凸部２１ａ，２１ｃ及び凹部２１ｂは大気に露呈しているが、仮にこの部分に水がかかっても、この水は粘弾性体２０とフェースプレート部１１との付着面にまで回り込むことはない。
【００４５】
この実施の形態では、カバープレート３０に設けた凹所３１に粘弾性体２０の盤状部２１の凸部２１ｅがぴったりと嵌合しており、粘弾性体がフェースプレート部背面に対ししっかりと保持されたものとなっている。また、凹所３１及び凹条３２，３３以外を平坦としているので、カバープレート３０をフェースプレート部１１に対ししっかりと付着保持させることができる。
【００４６】
この実施の形態では、粘弾性体２０にトウ側及びヒール側の延在部２２，２３を設けているので、フェースプレート部１１のヒール側又はトウ側でボールをヒットした場合の振動が、ヒットした部分の直近に位置する延在部２２，２３で直ちに吸収されるので、振動吸収効果が高い。なお、フェース面のうち盤状部２１及び延在部２２，２３と重ならない位置（例えばフェース面のトウ側の上部や下部、ヒール側の上部や下部）でボールをヒットしたときの振動は、フェースプレート部１１だけでなくカバープレート３０の平坦部（凹所３１及び凹条３２，３３以外の部分）をも介して粘弾性体２０に伝播して吸収される。
【００４７】
この粘弾性体２０及びカバープレート３０の付着に用いた粘着剤又は接着剤がフェースプレート部１１の背面に沿う方向（面内方向）の振動を吸収する作用も奏する。なお、カバープレート３０は、凹部３１及びトウ側凹条３２及びヒール側凹条３３を設けることにより、カバープレートが薄くても、プレートの剛性を高めることが出来る。特にトウ側凹条３２及びヒール側凹条３３を設けることにより、カバープレート３０のトウからヒール側方向の剛性を高めることができる。
【００４８】
以下、第１０〜１６図を参照して第２の実施の形態に係るウッド型ゴルフクラブヘッド５０について説明する。なお、このゴルフクラブヘッド５０はドライバーのヘッドであるが、２番ウッド以下のウッド型ゴルフクラブヘッドであってもよく、これと近似した形状のユーティリティ型ゴルフクラブヘッドについても本発明を適用できる。
【００４９】
このゴルフクラブヘッド５０は、チタン合金、ステンレス、ＣＦＲＰなどの素材を用いて構成された中空ゴルフクラブヘッドであり、ボールをヒットするためのフェース面５１と、シャフト５２を取り付けるためのホゼル部５３と、ソール面５４、クラウン部５５等を有する。ソール面５４の後部に凹陥部５６が設けられている。
【００５０】
この実施の形態では、凹陥部５６はトウ・ヒール方向の中間部に配置され、トウ・ヒール方向に延在している。この凹陥部５６のヒール側及びトウ側にはそれぞれフェース面側に向って延在する凸条部５７，５８が設けられている。また、凹陥部５６の後縁に沿って凸条部５９が設けられている。
【００５１】
この凹陥部５６は、ソール面からの立ち上り面と、略平坦な底面とで構成されている。
【００５２】
この凹陥部５６の底面に対し粘弾性体６０が付着され、この粘弾性体６０を覆うようにカバープレート７０が設けられている。粘弾性体６０は、凹陥部５６の底面よりもごくわずかに小さい大きさの平板状である。
【００５３】
第１４，１５図の通り、カバープレート７０は、この粘弾性体６０に重なる主面部７１と、該主面部７１の周縁から立ち上がる枠壁部７２と、該主面部７１に設けられた細長い略長方形状の第１開口７３と、該第１開口７３に隣接する第２開口７４及び第３開口７５を有する。第１開口７３はトウ・ヒール方向に延在する。第２開口７４は第１開口７３のトウ側に位置し、第３開口７５は第１開口７３のヒール側に位置する。第２開口７４及び第３開口７５は三角形状であるが、円形、楕円形、方形、多角形、星型などであってもよい。また、第４以降の開口が設けられてもよい。
【００５４】
粘弾性体６０は粘着材又は接着剤によって凹陥部５６の底面に付着されている。カバープレート７０は粘着材又は接着剤によって粘弾性体６０に対し付着されている。
【００５５】
このゴルフクラブヘッド５０のホゼル部５３にシャフト５２を差し込み、接着剤によって固定することにより、ゴルフクラブ（ウッド）とされる。
【００５６】
このヘッド５０でボールをヒットしたときの振動が粘弾性体６０で吸収される。なお、ソール面に凸条部５７，５８を設けているので、フェース部５１からの振動が凹陥部５６側へ伝播し易く、振動が粘弾性体６０によって吸収され易い。
【００５７】
この粘弾性体６０を覆うカバープレート７０に開口７３〜７５が設けられ、この開口７３〜７５に粘弾性体６０の一部が露呈しているので、この開口７３〜７５部分で粘弾性体６０がカバープレート７０によって拘束されず、振動吸収効率がよい。
【００５８】
この粘弾性体６０及びカバープレート７０の付着に用いた粘着剤又は接着剤がソール面方向の振動を吸収する作用も奏する。
【００５９】
このゴルフクラブヘッド５０にあっては、凹陥部５６の底面に粘弾性体６０が付着され、さらにこの粘弾性体６０を覆うようにカバープレート７０が設けられている。この粘弾性体６０の端面はカバープレート７０の枠壁部７２によって覆われている。従って、粘弾性体６０のすべての端面はこのカバープレート７０によって密閉状に覆われており、大気に露呈していない。このため、粘弾性体２０と凹陥部５６の底面との付着面に対して水分が掛かったり、紫外線が直射することがなく、粘弾性体６０の耐久性及び粘弾性体６０の付着耐久性が良好である。
【００６０】
この実施の形態では、粘弾性体６０の一部は、開口７３，７４，７５を介して大気に露呈しているが、仮にこの部分に水がかかっても、この水は粘弾性体６０と凹陥部５６の底面との付着面にまで回り込むことはない。
【００６１】
上記実施の形態は本発明の一例であり、本発明は図示以外の態様とされてもよい。例えば、粘弾性体及びカバープレートの形状や、開口の大きさ、形状は図示以外とされてもよい。
【符号の説明】
【００６２】
１  アイアン型ゴルフクラブヘッド
１０  ゴルフクラブヘッド本体
１１  フェースプレート部
１２  ホゼル部
１３  ソール部
１４  キャビティ部
１５  トウ側凸部
１６  トップ側凸部
１７  ヒール側凸部
２０  粘弾性体
２１  盤状部
２２，２３  延在部
３０  カバープレート
３１  凹所
３２，３３  凹条
３５  開口
４０，４１  凹穴
４２，４３  振動吸収材
４４，４５  ウェイト材
５０  ウッド型ゴルフクラブヘッド
５６  凹陥部
６０  粘弾性体
７０  カバープレート
【図１】
2013022057.tif 000003
【図２】
2013022057.tif 000004
【図３】
2013022057.tif 000005
【図４】
2013022057.tif 000006
【図５】
2013022057.tif 000007
【図６】
2013022057.tif 000008
【図７】
2013022057.tif 000009
【図８】
2013022057.tif 000010
【図９】
2013022057.tif 000011
【図１０】
2013022057.tif 000012
【図１１】
2013022057.tif 000013
【図１２】
2013022057.tif 000014
【図１３】
2013022057.tif 000015
【図１４】
2013022057.tif 000016
【図１５】
2013022057.tif 000017
【図１６】
2013022057.tif 000018